【事件の表示】
　平成１０年特許願第２４５２２２号「電子写真感光体ドラム取り付け方法、及び、電子写真感光体ドラム交換方法、及び、プロセスカートリッジ」拒絶査定に対する審判事件［平成１２年　３月１４日出願公開、特開２０００−　７５７３３］について、次のとおり審決する。
【結　論】
　本件審判の請求は、成り立たない。
【理　由】
１．手続の経緯
　本願は、平成１０年８月３１日の出願であって、平成１１年７月２日に手続補正がなされた後、平成１２年９月７日付けで拒絶査定がなされた。この拒絶査定に対する審判請求がなされ、その請求の日から３０日以内である平成１２年１１月８日に手続補正がなされた。
　
２．平成１２年１１月８日付けの手続補正（以下、「本件補正」という。）の補正却下について
　
［補正却下の決定の結論］
　平成１２年１１月８日付けの手続補正を却下する。
　
［理　由］
　本件補正により、補正後の特許請求の範囲の請求項１〜１６のうちの請求項１に係る発明は、
「【請求項１】　電子写真画像形成装置本体に着脱可能なプロセスカートリッジの枠体に電子写真感光体ドラムを取り付けるための電子写真感光体ドラム取り付け方法において、
（ａ）前記電子写真感光体ドラムの一端側に設けられた
、前記装置本体から前記電子写真感光体ドラムを回転させるための駆動力を受けるための駆動力受け部を有する第一の
（ｂ）前記ドラム軸を前記一端側枠体穴に挿入させた状態で、前記電子写真感光ドラムの他端側を移動させて、前記電子写真感光体ドラムの他端側を、前記プロセスカートリッジの枠体の長手方向の他端側であって前記枠体の長手方向と交差する方向に突出して設けられた他端側突出部分と向い合わせる工程と、
（ｃ）前記電子写真感光体ドラムの他端側に設けられたドラム穴に、前記枠体の前記他端側突出部分に設けられた他端側枠体穴の外側から、他端側カバーに設けられた
第二の
（ｄ）前記第一の挿入工程において、前記一端側枠体に挿入した
第一の
（ｅ）一端側カバーに設けられた第一の穴を前記
第一の
（ｆ）前記他端側カバーを前記枠体に結合させる他端側カバー結合工程と、を有することを特徴とする電子写真感光体ドラム取り付け方法。」
（以下、「本願補正発明」という。）
と補正された。
　上記補正は、願書に最初に添付された明細書に記載した事項の範囲内でなされたものである。また、請求項１に記載した発明を特定するために必要な事項である「ドラムの一端側に設けられたドラム軸」を「ドラムの一端側に設けられた
、前記装置本体から前記電子写真感光体ドラムを回転させるための駆動力を受けるための駆動力受け部を有する第一の
第一の
第二の
　そこで、本件補正後の前記請求項１に記載された発明が、特許出願の際独立して特許を受けることができるものであるかについて以下に検討する。
　
（１）引用例
　原査定で引用された特開平１０−１５３９４０号公報（以下、「引用例１」という。）、特開平４−４８５号公報（以下、「引用例２」という。）、実願昭６３−１１４７５５号のマイクロフィルム（実開平２−３５１６３号）（以下、「引用例３」という。）にはそれぞれ、次の技術事項が記載されている。
　
引用例１：特開平１０−１５３９４０号公報
1a. 「プロセスカートリッジとは、…帯電手段、現像手段、クリーニング手段の少なくとも１つと電子写真感光体ドラムとを一体的にカートリッジ化して画像形成装置本体に着脱可能とするものである。」（【０００２】）
1b. 「図１１は感光体ドラム７をプロセスカートリッジＢに取り付けた状態を示すカップリング部の縦断面図である。
　さて、図１１に示すように、プロセスカートリッジＢに取り付けられた感光体ドラム７の長手方向一方端部にはカートリッジ側カップリング手段が設けてある。このカップリング手段は、感光体ドラム７の一方端部に固着したドラムフランジ３６にカップリング凸軸３７（円柱形状）を設けたものであり、前記凸軸３７の先端面に凸部３７ａが形成してある。なお、凸部３７ａの端面は凸軸３７の端面と平行である。また、この凸軸３７は軸受３８に嵌合して、ドラム回転軸として機能する。…
　そして、前記凸部３７ａの形状は、ねじれた多角柱であって、詳しくは断面がほぼ正三角の柱で軸方向に次第に回転方向にわずかにねじれた形状である。また、前記凸部３７ａと嵌合する凹部３９ａは、断面が多角形で軸方向に次第に回転方向にわずかにねじれた穴である。この凸部３７ａと凹部３９ａはねじれのピッチがほぼ同一であり、同一方向にねじれている。なお、前記凹部３９ａは、断面が略三角形である。そして、この凹部３９ａは、装置本体１４に設けられたギア４３と一体のカップリング凹軸３９ｂに設けられている。このカップリング凹軸３９ｂは装置本体１４に後述のように回転自在及び軸方向移動自在に設けられている。そこで、本実施の形態の構成においては、プロセスカートリッジＢが装置本体１４に装着されて、凸部３７ａと装置本体１４に設けられた凹部３９ａとが嵌合して、凹部３９ａの回転力が凸部３７ａに伝達される際に、略正三角柱の凸部３７ａの各稜線と凹部３９ａの内面とが等しく当接するため互いに軸芯が合致する。」（【０１５５】〜【０１５７】）
【図１１】
1c. 「クリーニング枠体１３の側面には図３３、図３５に示すように欠円筒形の軸受取付穴１３ｈが設けられ、欠円部１３ｈ１は軸受取付穴１３ｈの直径よりも小さな対向間隔を有し、この間隔はカップリング突軸３７の直径よりも大きい。また、カップリング突軸３７は軸受３８に嵌合するので軸受取付穴１３ｈとは間隔があいている。」（【０１９５】）
【図３３】　
1d. 「ユニット化された感光体ドラム７をクリーニング枠体１３へ取り付けるには、図３３に示すように感光体ドラム７を長手方向に交叉方向に移動し、ドラムギア７ｂをクリーニング枠体１３内にあるようにしてカップリング凸軸３７を欠円部１３ｈ１を通過させて軸受取付穴１３ｈに挿入する。この状態で図１１に示す左側ガイド１３ａＬと一体のドラム軸７ａをクリーニング枠体１３の側端１３ｋを貫通して、該ドラム軸７ａを平歯ギア７ｎに嵌合し、このガイド１３ａＬのフランジ２９を挿通して小ねじ１３ｄをクリーニング枠体１３にねじ込み、このガイド１３ａＬをクリーニング枠体１３に固定して感光体ドラム７の一端側を支持する。」（【０１９６】）
1e. 「次に右側ガイド部材１３Ｒと一体の軸受３８の外周を軸受取付穴１３ｈに嵌入すると共に軸受３８の内周をカップリング凸軸３７に嵌合し、クリーニング枠体１３の位置決めピン１３ｈ２を右側ガイド部材１３Ｒのフランジ１３ａＲ１の穴に嵌め込み、該フランジ１３ａＲ１を挿通して小ねじ１３ａＲ２をクリーニング枠体１３にねじ込み右側ガイド部材１３Ｒをクリーニング枠体１３に固定する。」（【０１９７】）
1f. 「これによって、感光体ドラム７が正確且つ強固にクリーニング枠体１３に固定される。感光体ドラム７を長手方向に対して交叉方向からクリーニング枠体１３に取り付けるため、感光体ドラム７を長手方向にやりくりする必要がなく、クリーニング枠体１３の長手方向の寸法を小さくできる。」（【０１９７】）
1g. 「クリーニング枠体（ドラム枠体ともいう）」（【０２０４】）
　
引用例２：特開平４−４８５号公報
2a. 「第２図はこの感光ドラムユニット２の概略断面図、第３図はその要部の分解斜視図である。ユニットフレーム３は両端に対向して配置された第一サイドプレート７と第二サイドプレート８を有している。」（２頁右下欄３〜７行）
第２図
第３図
2b. 「感光ドラム４は、第一サイドプレート７に面する側の端面にドラム支持部材５の第一軸部１４に嵌合する軸受２１を有しており、反対側の端面には軸部２２を有している。この軸部２２は、ユニットフレーム３の第二サイドプレート８に軸受２３を介して回転自在に保持されるようになっている。ここで、軸受２３はあらかじめ第二サイドプレート８に取付ける構造としてもよいし、或いは、軸部２２を第二サイドプレート８に挿入した後、その外側から軸受２３を図示位置にセットし、第二サイドプレート８或いは軸部２２に固定する構造としてもよい。この軸部２２と軸受２３とは、感光ドラムの一端を第二サイドプレートに回転可能に支持させる支持手段を構成する。…図示は省略しているが、感光ドラム４には感光ドラム４を回転するための駆動機構が連結されている。」（３頁左上欄１５行〜右上欄１６行）
2c. 「ユニットフレーム３に対して感光ドラム４を所定位置に取付けるには、まず、感光ドラム４の一端の軸部２２を第二サイドプレート８に軸受２３を介して保持させ、次いで、感光ドラム４の反対側端面の軸受２１を第一サイドプレート７の支持穴９に一致する位置に保持する。この状態で、ドラム支持部材５をその後端の把手１９を手に持って、第一サイドプレート７の外側から支持穴９に挿入する。この時、ドラム支持部材６の突起１５を溝１０内に通過させることにより、ドラム支持部材５の第二軸部１６を支持穴９に嵌合させることができ、同時に先端の第一軸部１４は感光ドラム４端面の軸受２１に嵌合する。」（３頁右上欄１９行〜左下欄１１行）
　
引用例３：実願昭６３−１１４７５５号（実開平２−３５１６３７号）のマイクロフィルム
3a. 「〔従来の技術〕
　第８図は従来の感光ドラムの支持構造を示す。同図に示すように、従来では、ドラムハウジングａの側壁ｂに形成した軸受支持孔ｃが後述する軸受ｈの回り止めを行えるように長孔状となっていた。そして、ドラムハウジングａの内側から感光ドラムｄのシャフトｅを軸受支持孔ｃに挿入した後、ドラムハウジングａの外側から前記軸受支持孔ｃに嵌合する断面形状とした異径ボス部ｆとその外端から半径方向外方へ突出した鍔部ｇとから成る軸受ｈを前記軸受支持孔ｃに挿入して前記シャフトｅに套嵌し、前記鍔部ｇを側壁ｂ外面に当接させて軸受ｈの内方への移動を阻止すると共に、軸受ｈよりも突出したシャフトｅの突出端部の周溝ｉに、Ｅリングｊを嵌着して軸受ｈの外方への移動を阻止するように構成されていた。」（２頁７行〜３頁２行）
第８図
3b. 「第２図、第３図は、本考案に係る感光ドラムの支持構造が適用された静電複写機の作像ユニットを示す。図示の作像ユニットは各々別個に形成された４個の構成要素Ａ，Ｂ，Ｃ，Ｄを相互に組み立てることによって構成されている。
　第１の構成要素Ａは、感光ドラム１と転写後に感光ドラム１の表面に残留するトナーを除去するクリーニング装置２とを一体的に組み込んだドラムハウジング３と、クリーニング装置２によって除去したトナーを感光ドラム１の内部に形成したトナー回収室４に移送する手段とを備えている。５は上記移送手段の一構成部品であるＵ字状のパイプであり、コイル状のコンベヤ（図示せず）が内装されている。感光ドラム１の一側部周面には、受動ギヤ６が一体的に設けられており、作像ユニットを複写機本体に装填した状態では、複写機本体側に装備された駆動ギヤ（図示せず）が受動ギヤ６に噛み合うように構成されている。」（６頁１４行〜７頁１１行）
3c. 「次の手順によって、感光ドラム１の取付け、取外しを容易かつ迅速に行うことができる。
　即ち、第４図（イ）〜（ハ）に示すように、ドラムハウジング３の内側から感光ドラム１のシャフト1aを軸受支持孔22に挿入した後、ドラムハウジング３の外側から軸受23を前記軸受支持孔22に所定量（突出部23bが側壁3aを通過する位置まで）挿入してシャフト1aに套嵌させる。
　次いで、…」（１２頁１〜１０行）
第４図
3d. 「尚、感光ドラム１の他端側においては、感光ドラム１をドラムハウジング３の所定位置に配置した状態で、ドラムハウジング３の側壁3bの外側から軸受26の小径筒部26aを側壁3bに形成した円形の軸受支持孔27を通して感光ドラム１の端面板1bに挿入し、軸受26の大径鍔部26bに形成した突起部26cを側壁3bにビス28止めし、軸受26の中央孔に前記パイプ５の一端側を挿入しているが…」（１３頁９〜１６行）
第５図
　
（２）対比
　本願補正発明と引用例１に記載された発明とを対比する。
〔構成「…において」について〕
　引用例１の「プロセスカートリッジ」は、本願補正発明と同様、「電子写真画像形成装置本体に着脱可能なプロセスカートリッジ」（摘記事項1a.）であり、引用例１の【０１９６】、【０１９７】欄に記載（摘記事項1d. ，1f.）された「ユニット化された感光体ドラム７をクリーニング枠体１３へ取り付ける」（1d.）ことは、「クリーニング枠体１３」（ドラム枠体ともいう（1g.））が本願補正発明における「プロセスカートリッジの枠体」に相当するから、本願補正発明の「プロセスカートリッジの枠体に電子写真感光体ドラムを取り付けるための電子写真感光体ドラム取り付け方法」に相当する。
〔構成（ａ），（ｂ）について〕
　引用例１の「カップリング凸軸３７」は、ドラム回転軸として機能し、その先端面に凸部３７ａが形成してあり、凸部３７ａと装置本体１４に設けられた凹部３９ａとが嵌合して、凹部３９ａの回転力が凸部３７ａに伝達されるものである（1b.）から、本願補正発明における「電子写真感光体ドラムの一端側に設けられた、装置本体から電子写真感光体ドラムを回転させるための駆動力を受けるための駆動力受け部を有する第一のドラム軸」に相当する。また、引用例１の「軸受取付穴１３ｈ」は、クリーニング枠体１３の側面に設けられ（1c.）、欠円部１３ｈ１を有してはいるが、カップリング凸軸３７を挿入する（1d.）ものであるから、本願補正発明における「一端側枠体穴」に相当し、【図３３】も参照すると本願補正発明における「プロセスカートリッジの枠体の長手方向の一端側であって前記枠体の長手方向と交差する方向に突出して設けられた一端側突出部分に設けられた一端側枠体穴」に相当する。したがって、引用例１の「感光体ドラム７を長手方向に交叉方向に移動し、ドラムギア７ｂをクリーニング枠体１３内にあるようにしてカップリング凸軸３７を欠円部１３ｈ１を通過させて軸受取付穴１３ｈに挿入する」（1d.）ことは、本願補正発明の「（ａ）前記電子写真感光体ドラムの一端側に設けられた、前記装置本体から前記電子写真感光体ドラムを回転させるための駆動力を受けるための駆動力受け部を有する第一のドラム軸を、前記プロセスカートリッジの枠体の長手方向の一端側であって前記枠体の長手方向と交差する方向に突出して設けられた一端側突出部分に設けられた一端側枠体穴に挿入させる第一の挿入工程」に相当し、その際【図１１】も参照すると感光体ドラム７の平歯ギア７ｎがクリーニング枠体１３内にありその側端１３ｋと向い合うことになるから、同時に、本願補正発明の構成（ｂ）のうち、「前記電子写真感光体ドラムの他端側を、前記プロセスカートリッジの枠体の長手方向の他端側であって前記枠体の長手方向と交差する方向に突出して設けられた他端側突出部分と向い合わせる工程」にも相当する。
〔構成（ｃ）について〕
　引用例１の「左側ガイド１３ａＬ及びそのフランジ２９」は本願補正発明の「他端側カバー」に相当しており、引用例１の「左側ガイド１３ａＬと一体のドラム軸７ａをクリーニング枠体１３の側端１３ｋを貫通して、該ドラム軸７ａを平歯ギア７ｎに嵌合」（1d.）することは、【図１１】も参照すると本願補正発明の「（ｃ）前記電子写真感光体ドラムの他端側に設けられたドラム穴に、前記枠体の前記他端側突出部分に設けられた他端側枠体穴の外側から、他端側カバーに設けられた第二のドラム軸を前記他端側枠体穴、次いで、前記ドラム穴に挿入させる第二の挿入工程」に相当する。
〔構成（ｄ）について〕
　引用例１の「（右側ガイド部材１３Ｒと一体の）軸受３８の外周を軸受取付穴１３ｈに嵌入すると共に軸受３８の内周をカップリング凸軸３７に嵌合」（1d.）することは、本願補正発明の「（ｄ）前記第一の挿入工程において、前記一端側枠体に挿入した第一のドラム軸に、軸受け部材に設けられた軸受け穴を挿入させて、前記軸受け部材を前記一端側枠体穴に嵌合させる軸受け部材嵌合工程」に相当する。
〔構成（ｅ）について〕
　引用例１の「（右側ガイド部材１３Ｒの）フランジ１３ａＲ１」は本願補正発明の「一端側カバー」に相当しており、
引用例１の「クリーニング枠体１３の位置決めピン１３ｈ２を右側ガイド部材１３Ｒのフランジ１３ａＲ１の穴に嵌め込み、該フランジ１３ａＲ１を挿通して小ねじ１３ａＲ２をクリーニング枠体１３にねじ込み右側ガイド部材１３Ｒをクリーニング枠体１３に固定する」（1e.）することは、本願補正発明の構成（ｅ）のうち、「一端側カバーを枠体に結合させる一端側カバー結合工程」に相当する。
〔構成（ｆ）について〕
　引用例１の「左側ガイド１３ａＬ及びそのフランジ２９」は本願補正発明の「他端側カバー」に相当する。したがって、引用例１の「ガイド１３ａＬのフランジ２９を挿通して小ねじ１３ｄをクリーニング枠体１３にねじ込み、このガイド１３ａＬをクリーニング枠体１３に固定」（1d.）することは、本願補正発明の「（ｆ）前記他端側カバーを前記枠体に結合させる他端側カバー結合工程」に相当する。
　
　よって、本願補正発明と引用例１に記載された発明とは、
「電子写真画像形成装置本体に着脱可能なプロセスカートリッジの枠体に電子写真感光体ドラムを取り付けるための電子写真感光体ドラム取り付け方法において、
（ａ）前記電子写真感光体ドラムの一端側に設けられた、前記装置本体から前記電子写真感光体ドラムを回転させるための駆動力を受けるための駆動力受け部を有する第一のドラム軸を、前記プロセスカートリッジの枠体の長手方向の一端側であって前記枠体の長手方向と交差する方向に突出して設けられた一端側突出部分に設けられた一端側枠体穴に挿入させる第一の挿入工程と、
（ｂ）前記電子写真感光体ドラムの他端側を、前記プロセスカートリッジの枠体の長手方向の他端側であって前記枠体の長手方向と交差する方向に突出して設けられた他端側突出部分と向い合わせる工程と、
（ｃ）前記電子写真感光体ドラムの他端側に設けられたドラム穴に、前記枠体の前記他端側突出部分に設けられた他端側枠体穴の外側から、他端側カバーに設けられた第二のドラム軸を前記他端側枠体穴、次いで、前記ドラム穴に挿入させる第二の挿入工程と、
（ｄ）前記第一の挿入工程において、前記一端側枠体に挿入した第一のドラム軸に、軸受け部材に設けられた軸受け穴を挿入させて、前記軸受け部材を前記一端側枠体穴に嵌合させる軸受け部材嵌合工程と、
（ｅ）前記一端側カバーを前記枠体に結合させる一端側カバー結合工程と、
（ｆ）前記他端側カバーを前記枠体に結合させる他端側カバー結合工程と、を有する電子写真感光体ドラム取り付け方法。」
である点で一致し、
（相違点１）本願補正発明は、第一の挿入工程により「ドラム軸を一端側枠体穴に挿入させた」状態で、「電子写真感光ドラムの他端側を移動させ」ることにより電子写真感光体ドラムの他端側を枠体の他端側突出部分と向い合わせる工程としているのに対し、引用例１においては、軸受取付穴１３ｈ（「一端側枠体穴」に相当）に欠円部１３ｈ１があることで、「感光体ドラム７を長手方向に交叉方向に移動し…カップリング凸軸３７（「ドラム軸」に相当）を欠円部１３ｈ１を通過させて軸受取付穴１３ｈに挿入する」工程でもって、そのまま感光体ドラム７の他端側が枠体１３の側端１３ｋと向い合う点、
（相違点２）本願補正発明は、一端側カバー結合工程において、「一端側カバーに設けられた第一の穴を第一のドラム軸に挿入させ」た後に「一端側カバーを枠体に結合させ」ているのに対して、引用例１では、右側ガイド部材１３Ｒ（「一端側カバー」に相当）と軸受３８は一体であって、すでに軸受３８の内周をカップリング凸軸３７に嵌合済みのため、一端側カバー結合工程では、「右側ガイド部材１３Ｒをクリーニング枠体１３に固定」（「一端側カバーを枠体に結合」）しているだけである点
で相違する。
　
（３）判断
　上記相違点１，２について検討する。
（相違点１）について：
　感光体ドラム取り付け方法において、軸受を取り付ける穴に欠円部がないものを用いることは、引用例２，３に記載されるように周知である。
　そして、引用例２，３のように、軸受を取り付けるための穴に引用例１のような欠円部がなく、また一方で、軸受を取り付けるための穴がドラム軸より大きい場合に、本件補正発明のように「ドラム軸を一端側枠体穴に挿入させた状態で、電子写真感光ドラムの他端側を移動させ」ることにより感光体ドラムの他端側を他端側枠体と向い合わせるようにすることは、当業者にとっては通常の設計範囲である。
　したがって、引用例１の感光体ドラム取り付け方法において、軸受取付穴として、引用例２，３に記載のように周知技術であるところの欠円部がない軸受取付穴を採用し、「ドラム軸を一端側枠体穴に挿入させた状態で、電子写真感光ドラムの他端側を移動させ」ることにより電子写真感光体ドラムの他端側を枠体の他端側突出部分と向い合わせるようにすることは、当業者にとって容易になし得ることである。
（相違点２）について：
　引用例１では、右側ガイド部材１３Ｒ（「一端側カバー」に相当）と軸受３８は一体であるが、引用例１において、カバーとしての右側ガイド部材１３Ｒを軸受３８と一体とするか別体とするか程度のことは、当業者にとっては設計的事項であり、カバーを軸受と別体に構成することには、格別の困難性は認められない。そして、カバーと軸受とをそのように別体に構成した場合、カバーにもドラム軸を挿入させる穴を設け、カバーに設けられた穴をドラム軸に挿入させる工程をも設けるようにすることも、当業者にとっては容易に想到し得ることである。
　また、本願補正発明の構成によってもたらされる効果も、当業者が予期し得る範囲のことと認められ、格別のものとすることはできない。
　したがって、本願補正発明は、引用例１〜３に記載された発明に基いて当業者が容易に発明をすることができたものであるから、特許法第２９条第２項の規定により特許出願の際独立して特許を受けることができないものである。
　
（４）むすび
　以上のとおり、本件補正は、特許法第１７条の２第５項で準用する同法第１２６条第４項の規定に違反するものであり、特許法第１５９条第１項で準用する同法第５３条第１項の規定により却下されるべきものである。
　
３．本願発明について
　平成１２年１１月８日付けの手続補正は上記のとおり却下されたので、本願の請求項１〜１６に係る発明は、平成１１年７月２日付け手続補正書の特許請求の範囲請求項１〜１６に記載された事項により特定されるとおりのものであり、そのうち、特に請求項１に係る発明は、以下の請求項１に記載された事項により特定されるとおりのものである。
「【請求項１】　電子写真画像形成装置本体に着脱可能なプロセスカートリッジの枠体に電子写真感光体ドラムを取り付けるための電子写真感光体ドラム取り付け方法において、
（ａ）前記電子写真感光体ドラムの一端側に設けられたドラム軸を、前記プロセスカートリッジの枠体の長手方向の一端側であって前記枠体の長手方向と交差する方向に突出して設けられた一端側突出部分に設けられた一端側枠体穴に挿入させる第一の挿入工程と、
（ｂ）前記ドラム軸を前記一端側枠体穴に挿入させた状態で、前記電子写真感光ドラムの他端側を移動させて、前記電子写真感光体ドラムの他端側を、前記プロセスカートリッジの枠体の長手方向の他端側であって前記枠体の長手方向と交差する方向に突出して設けられた他端側突出部分と向い合わせる工程と、
（ｃ）前記電子写真感光体ドラムの他端側に設けられたドラム穴に、前記枠体の前記他端側突出部分に設けられた他端側枠体穴の外側から、他端側カバーに設けられたドラム軸を前記他端側枠体穴、次いで、前記ドラム穴に挿入させる第二の挿入工程と、
（ｄ）前記第一の挿入工程において、前記一端側枠体に挿入したドラム軸に、軸受け部材に設けられた軸受け穴を挿入させて、前記軸受け部材を前記一端側枠体穴に嵌合させる軸受け部材嵌合工程と、
（ｅ）一端側カバーに設けられた第一の穴を前記ドラム軸に挿入させた後に、前記一端側カバーを前記枠体に結合させる一端側カバー結合工程と、
（ｆ）前記他端側カバーを前記枠体に結合させる他端側カバー結合工程と、を有することを特徴とする電子写真感光体ドラム取り付け方法。」（以下、「本願発明」という。）
　
（１）引用例
　原査定の拒絶の理由に引用された引用例の記載事項は、前記「２．（１）」に記載したとおりである。
　
（２）対比・判断
　本願発明は、前記２．で検討した本願補正発明から「ドラムの一端側に設けられたドラム軸」が「装置本体から電子写真感光体ドラムを回転させるための駆動力を受けるための駆動力受け部を有する第一の」ドラム軸であること及びそれぞれの「ドラム軸」が「第一の」ないし「第二の」ドラム軸であることを限定する構成を省いたものである。
  そうすると、本願発明の構成要件を全て含み、さらに他の構成要件を付加したものに相当する本願補正発明が、前記「２．（３）」に記載したとおり、引用例１〜引用例３に記載された発明に基いて当業者が容易に発明をすることができたものであるから、本願発明も、同様の理由により、当業者が容易に発明をすることができたものである。
　
（３）むすび
　以上のとおり、本願の請求項１に係る発明は、引用例１〜引用例３に記載された発明に基いて当業者が容易に発明をすることができたものであるから、特許法第２９条第２項の規定により特許を受けることができない。
　したがって、請求項２〜１６についての判断を示すまでもなく、本願は拒絶すべきものである。
　よって、結論のとおり審決する。